(57)【要約】  ユーザ同士の共通点となる話題を提供することで、個人情報の漏えいを防ぎつつ、ユーザ同士の交流及び関係性を深化することに記録情報を役立てる。複数の無線端末を備えたシステムにおいて、第１の無線端末は、サーバからの情報に基づき各無線端末の位置と出会いの種別をマップ表示する。マップ表示された、第１の無線端末と第２の無線端末とを関連づける関連づけ操作が第１の無線端末でなされると、サーバを介して第２の無線端末が、第１の無線端末から話しかけリクエストがあった旨を表示する。話しかけリクエストに対する同意操作が第２の無線端末でなされると、第２の無線端末からサーバへ同意信号を送信する。同意信号を受信したサーバは、第１の無線端末のユーザのプロフィール情報と、第２の無線端末のユーザのプロフィール情報との共通項を抽出し、抽出された共通項を第１及び第２の無線端末に表示させる。
2016046865.tif 000002
【特許請求の範囲】
【請求項１】
表示部と操作部を兼ね備えたタッチパネルを有する複数のユーザの複数の無線端末と、
前記無線端末の位置情報と、前記ユーザのプロフィール情報と、該ユーザが所望する出会いの種別とを記憶するサーバと
を備え、
前記複数の無線端末のうちの第１の無線端末は、前記サーバから受信される前記複数の無線端末の位置情報と、各無線端末のユーザの出会いの種別とに基づき、各無線端末の位置と出会いの種別を、前記表示部にマップ表示し、
前記第１の無線端末にマップ表示された、第１の無線端末と、前記複数の無線端末のうちの少なくともひとつの第２の無線端末とを関連づける関連づけ操作が前記第１の無線端末の前記操作部でなされると、前記サーバを介して、該第２の無線端末の表示部が、前記第１の無線端末から話しかけリクエストがあった旨を表示し、
前記第２の無線端末に表示された話しかけリクエストに対する同意操作が前記第２の無線端末の前記操作部でなされると、前記第２の無線端末から前記サーバへ同意信号を送信し、
同意信号を受信した前記サーバは、前記第１の無線端末のユーザのプロフィール情報と、前記第２の無線端末のユーザのプロフィール情報との共通項を抽出し、抽出された共通項を第１の無線端末及び第２の無線端末に表示させるソーシャルネットワークシステム。
【請求項２】
前記第２の無線端末はひとつの無線端末であり、
前記関連づけ操作は、表示部にマップ表示された第１の無線端末の位置から、第２の無線端末の位置へ向かうスワイプ動作である請求項１に記載のソーシャルネットワークシステム。
【請求項３】
前記スワイプ動作に応じて、表示部にマップ表示された第１の無線端末の位置から、第２の無線端末の位置へ向かう矢印を表示する請求項２に記載のソーシャルネットワークシステム。
【請求項４】
前記第２の無線端末はひとつの無線端末であり、
前記関連づけ操作は、表示部にマップ表示された第１の無線端末の位置と第２の無線端末の位置を始点とするピンチ動作である請求項１に記載のソーシャルネットワークシステム。
【請求項５】
前記第１の無線端末は、マップ表示上に仮想空間を設定し、
前記第２の無線端末による同意操作は、第２の無線端末にマップ表示された第２の無線端末の位置をドラッグして該仮想空間内に移動する動作で動作である請求項１に記載のソーシャルネットワークシステム。
【請求項６】
前記第１の無線端末は、マップ表示上に仮想空間を設定し、
前記第１の無線端末による関連づけ操作は、第１の無線端末にマップ表示された第２の無線端末の位置をドラッグして該仮想空間内に移動する動作である請求項１に記載のソーシャルネットワークシステム。
【請求項７】
前記ユーザのプロフィール情報は、ユーザにより入力されるプロフィール情報と、他のシステムから取得したプロフィール情報とを含む請求項１に記載のソーシャルネットワークシステム。
【請求項８】
共通項を表示させた後に前記第１又は第２の無線端末から会話終了信号を受信した前記サーバは、該第１の無線端末と第２の無線端末を関連づけて、該サーバを介して該第１の無線端末と該第２の無線端末との間でメッセージを送受信可能にする請求項１に記載のソーシャルネットワークシステム。
【請求項９】
表示部と操作部を兼ね備えたタッチパネルを有する複数のユーザの複数の無線端末とを備えたソーシャルネットワークシステムにおけるサーバであって、
前記無線端末の位置情報と、前記ユーザのプロフィール情報と、該ユーザが所望する出会いの種別とを記憶する記憶部と、
前記複数の無線端末のうちの少なくとも第１の無線端末に、前記複数の無線端末の位置情報と、各無線端末のユーザの出会いの種別とを送信して、各無線端末の位置と出会いの種別を表示部にマップ表示させるマップ表示部と
前記第１の無線端末にマップ表示された、第１の無線端末と、前記複数の無線端末のうちの第２の無線端末とを関連づける関連づけ操作が前記第１の無線端末でなされることで送信される話しかけリクエストを受信すると、該第２の無線端末に、前記第１の無線端末から話しかけリクエストがあった旨を表示させ、前記第２の無線端末に表示された話しかけリクエストに対する同意操作が前記第２の無線端末でなされることで送信される同意信号を、前記第２の無線端末から受信するリクエスト処理部と、
前記第１の無線端末のユーザのプロフィール情報と、前記第２の無線端末のユーザのプロフィール情報との共通項を抽出し、抽出された共通項を第１の無線端末及び第２の無線端末に表示させる共通項抽出部と
を備えたサーバ。
【発明の詳細な説明】
【技術分野】
【０００１】
本発明は、ソーシャルネットワークシステム及びサーバに関する。
【背景技術】
【０００２】
近年、ブログ、ツイッター、ソーシャルネットワークシステムの登場と普及により、個人としての体験及び発言がインターネット上に記録される仕組みができあがった。例えば、特許文献１には、ユーザにより入力されるテキスト情報から体験情報を抽出し、１又は２以上のユーザの体験情報の比較により体験情報に共通性が認められるユーザ群を抽出する装置が開示されている。さらにネットショッピングのサイト等によるインターネットを介した消費行動の記録、電子マネーを通じた消費行動の記録、及びＧＰＳ技術を利用した位置情報の記録など、ユーザの行動に基づく情報の記録技術の促進により、ユーザがある瞬間にどこにいて、何をしていたかを自動的に記録に残す技術が確立されている。また、ＧＰＳ技術の発達により、メートル単位で正確に地図上の自己の位置を把握できる技術が確立している。また、ソーシャルネットワークシステムに使用することはまだ一般的ではないが、音声認識技術の発達により、高い精度で音声をテキストに変換する技術が確立している。
【先行技術文献】
【特許文献】
【０００３】
【特許文献１】特開２０１３−２５７７６１号公報
【発明の概要】
【発明が解決しようとする課題】
【０００４】
上述のような記録技術が発達する一方で、記録された情報の利用に関しては以下のような課題がある。【０００５】
まず、１点目の課題としてソーシャルネットワーク上にこのような個人情報が記録され、開示されるため、不本意な個人情報の漏えいが起こる可能性が高いことがあげられる。ユーザにとって不本意な情報が開示されることを防ぎやすい仕組みが必要になる。【０００６】
また２点目の課題として、記録情報が対面して出会った人々の交流の促進に利用されていないことがあげられる。膨大な個人の記録情報がソーシャルネットワーク上にあるのにも拘わらず、現在のソーシャルネットワークにはこれらを抽出して話題として提供する仕組みが存在しないため、初対面時においては、現在のＦＡＣＥＢＯＯＫ（登録商標）などのソーシャルネットワークが流行する以前と同様に、お互いの共通項や自己が求める情報を相手がもっているか確認するため、いわば空振りの質問を相手にしなければならない。対面して出会った人々の交流の促進のために、記録情報を使用して話題提供をする仕組みが必要になる。【０００７】
３点目の課題として、記録情報を提供するユーザ側のメリットが少ないことがあげられる。現在のソーシャルネットワークでは、こうした記録情報は、ソーシャルネットワーク上の仲間に自己の行動、感想を掲示板形式で伝達することに利用されており、ユーザの主な目的は、仲間からの賞賛、共感を得ることにある。しかし、裏を返して言えば、仲間からの賞賛、共感を得ることを求めないユーザ又は仲間からの賞賛、共感を得られる可能性が低いユーザにとっては、記録情報をこれ以上ソーシャルネットワークに記録することは、自己の日記帳代わりになるメリットもあるものの、基本的には個人情報漏えいのデメリットしかない。さらに、ソーシャルネットワーク運営側は、記録情報をユーザに消費行動を促すための推薦広告掲載のために使用している。そのためユーザ側にとっては、広告媒体を提供する側へメリットがいく印象が大きく、前述と併せ、記録情報をソーシャルネットワークに提供するメリットが少ない印象をもつ可能性が高い。仲間からの賞賛、共感を得ること以外のメリットをユーザーに示す仕組みが必要となる。【０００８】
本発明は、以上の点に鑑み、ユーザ同士の共通点となる話題を提供することで、他の個人情報の漏えいを防ぎつつ、直接対面して出会った人々の交流の促進に記録情報を役立てるソーシャルネットワークシステム及びサーバを提供することを目的とする。また、本発明は、対面する人々の交流の促進に記録情報を役立てることで、ユーザー側に記録情報を継続して提供するメリットの大きいソーシャルネットワークシステム及びサーバを提供することを目的のひとつとする。さらに、本発明は、当該話題提供機能と併せ、関係性を深化させる機能、ＧＰＳ技術に基づく出会いを求める機能及び待ち合わせ機能を提供することを目的のひとつとする。
【課題を解決するための手段】
【０００９】
本ソーシャルネットワークシステムは、例えば初めて会う人々の間におけるコミュニケーションが促進及び効率化するように、無線端末に個人の求める出会いについて表示し、話者間の共通点を提示する。本ソーシャルネットワークシステムは、概略、各ユーザが初めて会う人とのコミュニケーションが円滑になるように固有プロフィールを作成する段階並びにユーザの同意に基づき自動登録される段階と、求める出会いについて地図上に表示する段階と、話すことについて合意する段階と、初めて会った人同士の共通体験のみを抽出する段階と、話題として共通点を表示、推薦する段階、出会った以降に関係を深化するために記録、連絡する段階とを備える。【００１０】
本発明の第１の解決手段によると、
表示部と操作部を兼ね備えたタッチパネルを有する複数のユーザの複数の無線端末と、
前記無線端末の位置情報と、前記ユーザのプロフィール情報と、該ユーザが所望する出会いの種別とを記憶するサーバと
を備え、
前記複数の無線端末のうちの第１の無線端末は、前記サーバから受信される前記複数の無線端末の位置情報と、各無線端末のユーザの出会いの種別とに基づき、各無線端末の位置と出会いの種別を、前記表示部にマップ表示し、
前記第１の無線端末にマップ表示された、第１の無線端末と、前記複数の無線端末のうちの少なくともひとつの第２の無線端末とを関連づける関連づけ操作が前記第１の無線端末の前記操作部でなされると、前記サーバを介して、該第２の無線端末の表示部が、前記第１の無線端末から話しかけリクエストがあった旨を表示し、
前記第２の無線端末に表示された話しかけリクエストに対する同意操作が前記第２の無線端末の前記操作部でなされると、前記第２の無線端末から前記サーバへ同意信号を送信し、
同意信号を受信した前記サーバは、前記第１の無線端末のユーザのプロフィール情報と、前記第２の無線端末のユーザのプロフィール情報との共通項を抽出し、抽出された共通項を第１の無線端末及び第２の無線端末に表示させるソーシャルネットワークシステムが提供される。【００１１】
本発明の第２の解決手段によると、
表示部と操作部を兼ね備えたタッチパネルを有する複数のユーザの複数の無線端末とを備えたソーシャルネットワークシステムにおけるサーバであって、
前記無線端末の位置情報と、前記ユーザのプロフィール情報と、該ユーザが所望する出会いの種別とを記憶する記憶部と、
前記複数の無線端末のうちの少なくとも第１の無線端末に、前記複数の無線端末の位置情報と、各無線端末のユーザの出会いの種別とを送信して、各無線端末の位置と出会いの種別を表示部にマップ表示させるマップ表示部と
前記第１の無線端末にマップ表示された、第１の無線端末と、前記複数の無線端末のうちの第２の無線端末とを関連づける関連づけ操作が前記第１の無線端末でなされることで送信される話しかけリクエストを受信すると、該第２の無線端末に、前記第１の無線端末から話しかけリクエストがあった旨を表示させ、前記第２の無線端末に表示された話しかけリクエストに対する同意操作が前記第２の無線端末でなされることで送信される同意信号を、前記第２の無線端末から受信するリクエスト処理部と、
前記第１の無線端末のユーザのプロフィール情報と、前記第２の無線端末のユーザのプロフィール情報との共通項を抽出し、抽出された共通項を第１の無線端末及び第２の無線端末に表示させる共通項抽出部と
を備えたサーバが提供される。
【発明の効果】
【００１２】
本発明によると、ユーザ同士の共通点となる話題を提供することで、他の個人情報の漏えいを防ぎつつ、直接対面して出会った人々の交流の促進に記録情報を役立てるソーシャルネットワークシステム及びサーバを提供することができる。また、本発明の一態様によると、対面する人々の交流の促進に記録情報を役立てることで、ユーザー側に記録情報を継続して提供するメリットの大きいソーシャルネットワークシステム及びサーバを提供することができる。さらに、本発明の一態様によると、当該話題提供機能と併せ、関係性を深化させる機能、ＧＰＳ技術に基づく出会いを求める機能及び待ち合わせ機能を提供することができる。
【図面の簡単な説明】
【００１３】
【図１】ソーシャルネットワークシステムの全体構成図である。
【図２】サーバのブロック構成図である。
【図３】サーバのハードウェア構成図である。
【図４】無線端末のハードウェア構成図である。
【図５】ソーシャルネットワークシステムの全体フローチャートである。
【図６】事前設定処理の詳細フローチャートである。
【図７】登録する出会い種別の例である。
【図８】プロフィールの項目例である。
【図９】自動収集に関する設定項目の例である。
【図１０】全ユーザ対象の共通処理の詳細フローチャートである。
【図１１】ランキング表示の画面例である。
【図１２】各ユーザ間の共通項表示処理の詳細フローチャートである。
【図１３】無線端末における表示と、関連づけ操作と同意操作の説明図である。
【図１４】無線端末における表示と、関連づけ操作と同意操作の他の説明図である。
【図１５】共通項の表示画面例である。
【図１６】会話終了後処理の詳細フローチャートである。
【図１７】待ち合わせ表示の画面例である。
【発明を実施するための形態】
【００１４】
以下、図面を参照して本発明の実施の形態を説明する。
図１は、ソーシャルネットワークシステムの全体構成図である。
ソーシャルネットワークシステム１は、例えば、サーバ１０と、基地局３０を介してサーバ１０と通信する複数の無線端末２０とを備える。また、ソーシャルネットワークシステム１は、個人情報記録サーバ４０及びＧＰＳ情報記憶装置５０をさらに備えてもよい。
【００１５】
サーバ１０は、ソーシャルネットワークサービスを提供するサーバであり、本実施の形態の処理を制御する。無線端末２０は、例えば、スマートフォン又はタブレットなどのインターネットにアクセス可能な携帯情報端末である。基地局３０は、無線端末２０と無線で通信する。個人情報記録サーバ４０は、例えば、他のソーシャルネットワークサービスを提供するサーバである。ＧＰＳ情報記憶装置５０は、例えば、無線端末２０の位置を記憶する装置である。例えば、ＧＰＳ情報記憶装置５０は、無線端末２０に搭載されたＧＰＳ装置から位置情報を受信して、無線端末２０の識別情報と受信した位置情報を対応して記憶する。なお、各装置の数は、図１に示す数に限らず適宜の数を備えることができる。
【００１６】
図２は、サーバ１０のブロック構成図である。なお、以下の説明では、無線端末２０とユーザは１対１に対応するものとして説明するが、例えばユーザは情報を設定する段階と、他のユーザを出会って共通項を表示する段階など、異なる処理タイミングでは異なる無線端末２０を使用してもよいし、情報を設定する段階等で用いる端末は無線端末以外に有線でサーバ１０と通信可能な端末を用いてもよい。
【００１７】
サーバ１０は、例えば、ユーザ情報登録部１０１と、イベント参加者属性抽出部１０２と、イベント参加者共通点抽出部１０３と、ユーザマップ情報作成部１０４と、共通仮想空間設定部１０５と、ユーザ間共通点抽出部１０６と、記録部１０７と、連絡部（通信処理部）１０８と、リクエスト処理部１０９とを有する。サーバ１０は、例えば各無線端末２０の位置情報と、各無線端末２０のユーザのプロフィール情報と、各ユーザが所望する出会いの種別とを対応して記憶する。
【００１８】
サーバ１０に設定される情報としては、ユーザ自身による情報登録、ユーザの同意に基づく自動登録、ユーザによる開示設定、及び、出会い種別の設定等があり、例えば、ユーザ情報登録部１０１と無線端末２０とで実行される。また、サーバ１０から出力される情報として、例えば、ニュースフィード、共通点連絡、及び、共通点推薦広告があり、これらは連絡部１０８から送信される。
【００１９】
図３は、サーバ１０のハードウェア構成図である。
サーバ１０の上述の各部は、処理部（ＣＰＵ）１１、記憶部１２、出力部１３及び通信インタフェース１４とにより実現されることができる。例えば、各部を実現するための機能プログラムが記憶部１２に記憶され、処理部１１が機能プログラムを読み出して実行することができる。
【００２０】
図４は、無線端末２０のハードウェア構成図である。
無線端末２０は、例えば、処理部（ＣＰＵ）２１と、記憶部２２と、表示部と操作部を兼ね備えたタッチパネル２３と、基地局３０を介してサーバ１０と通信するための無線通信部２４とを有する。本実施の形態における無線端末２０の各機能は、処理部２１が無線通信部２４を介してサーバ１０にアクセスし、サーバ１０からの指示に応じて処理を実行してもよい（例えば、ブラウザベースの動作）。また、無線端末２０に本ソーシャルネットワークシステム１を実現するための所定のアプリケーション（プログラム）が予めダウンロードされて記憶部２２に記憶され、処理部２１がアプリケーションを読み出して実行してもよい。
【００２１】
図５は、ソーシャルネットワークシステム１の全体フローチャートである。
まず、サーバ１０は、無線端末２０と通信して事前設定処理を実行する（Ｓ１０１）。また、サーバ１０は、適宜のタイミングで全ユーザ対象の共通処理を実行する（Ｓ１０３）。サーバ１０は、無線端末２０と通信して各ユーザ間の共通項表示処理を実行する（Ｓ１０５）。また、サーバ１０は、ユーザ間の会話が終了すると、会話終了後処理を実行する（Ｓ１０７）。各処理について以下詳細に説明する。
【００２２】
図６は、事前設定処理（Ｓ１０１）の詳細フローチャートである。
まず、サーバ１０（例えばユーザ情報登録部１０１）は、無線端末２０のユーザが所望する出会い種別を設定する（Ｓ２０１）。
【００２３】
無線端末２０は、ユーザの操作により、今後ユーザがどのような出会いを求めているかを示す出会い種別（出会い方）をサーバ１０に送信し、サーバ１０に設定できる。図７に登録する出会い種別を例示する。ユーザによっては同じ大学出身を求めるなど、図示以外のものも設定できる。これらの出会い種別の候補は、サーバ１０から無線端末２０に送信されて無線端末２０のタッチパネル２３に表示され、表示された出会い種別のうちユーザの操作により選択された所望の出会い種別がサーバ１０に送信されてもよい。なお、設定された出会い種別は後述するマップ上に表示される。また、適宜のタイミングで設定を変更したり、表示の要否を変更したりすることが可能である。また、不本意な話しかけられ及びストーカーなどの被害を防ぐため、特定地域内でのみ表示させる、特定の時間帯でのみ表示させる、自己の特定距離内のみ表示させる、求める出会い種別が合致した無線端末のみに表示するなどの条件設定を無線端末１０の操作により行うことができる。
【００２４】
次に、サーバ１０（例えばユーザ情報登録部１０１）は、ユーザの固有プロフィールを作成する（Ｓ２０３）。図８に、プロフィールの項目例を示す。ユーザが求める出会い方に応じて、登録項目を予め定められておくことができるが、男女問わず共通項がある人を求める出会い方を選択した場合の例を記す。名前、住所、生年月日、家族構成、出身高校などの個人情報に加え、初めて話したときに盛り上がるような項目、例えば、好きな映画ベスト３、普段はメガネを使うかどうか、暑いのと寒いのとどちらが苦手か、好きなタレントなどの情報を登録する。好きな映画ベスト３というようなものや、暑いのと寒いのとどちらが苦手かなどは初めてあったときに話しのきっかけとなる可能性があるために設定する項目であり、現在の多くの他のＳＮＳでは初期登録にこうした設定は行わない本システムならではの特徴のひとつである。なお、ユーザは好きな映画ベスト３には入らないが、単に見たことのある映画など個人の記録情報を任意で後で登録できる。さらにユーザは初対面のときには開示するプロフィールとしてだしづらい情報、過去にあった不幸など、項目別に、話した時間や出会った回数に基づく開示制限設定を行うことができる。
【００２５】
例えば、図８に示す項目名がサーバ１０から無線端末２０に送信されて無線端末２０のタッチパネル２３に表示され、表示された項目名に対応する情報がユーザの操作により入力され、無線端末２０からサーバ１０に送信されてもよい。なお、必ずしも表示された項目名すべてに対して情報が入力される必要はない。
【００２６】
サーバ１０（例えばユーザ情報登録部１０１）は、個人記録自動収集を行うか否か設定する（Ｓ２０５）。サーバ１０は、ユーザにより入力された情報を無線端末２０から受信する以外にも、他のシステムからユーザのプロフィール情報を取得することができる。サーバ１０は、無線端末２０のユーザ毎に、このような自動取得処理を実行するか否か設定でできる。図９に、自動収集に関する設定項目を例示する。例えば、ユーザが無線端末２０を操作して、ネットショッピングのサイトなどの購入履歴から自動的に情報を取得してよいかサーバ１０に設定できる。またブログ、ツイッター、ソーシャルネットワーク上にユーザが投稿した情報についても自動的に情報を取得してよいかサーバ１０に設定できる。さらに、自分（すなわち無線端末２０）の周りにある音による自動音声登録を行うか否かをサーバ１０に設定できる。
【００２７】
ここで、自動音声登録の仕組みを説明すると、無線端末２０は、マイクを介して入力される音声の中で、ユーザの声を声紋で認識する手段と、笑い声などのユーザのリアクションから発する音を認識する手段と、ユーザの行動により発する音（例えば、食べる音、飲む音など）を認識する手段を有してもよい。なお、ユーザの声紋、リアクションから発する音など認識する音のサンプル（テンプレート）は、予め無線端末２０に登録される。次に、無線端末２０は、認識された音をテキスト化し、それらのテキストの中で、ユーザの声、ユーザのリアクション、及び、ユーザの行動音に基づき、何度も出てくる言葉、何度も出てくる行動音、または自分のリアクションが大きかった言葉、という抽出基準で、自分が興味あるキーワードについて抽出を行えるようにする。例えば、言葉又は行動音の出現する回数の閾値が無線端末２０に予め登録され、閾値を超えた言葉又は行動音を抽出してもよいし、出現する回数か多い言葉又は行動音を上位から所定数抽出してもよい。また、リアクションの大きさについては、リアクションが比較的大きいときに発せられる言葉、リアクションが比較的小さいときに発せされる言葉を予め無線端末２０に登録しておき、テキスト化された音と、これらの言葉を比較することでリアクションが大きかった言葉を抽出してもよい。抽出された言葉は、無線端末２０からサーバ１０へ送信され、無線端末２０のユーザのプロフィール等に追加される。なお、この自動音声登録については、ユーザが必要とする場合、例えば１日１回登録するかどうか自体を選択することができるものとする。また、上述の自動音声登録は、無線端末２０が音声の認識処理等を行う以外にも、上述の処理の一部を無線端末２０が実行し、実行結果をサーバ１０又は他の処理装置に送信して、サーバ１０又は他の処理装置が残りの処理を実行してもよい。
【００２８】
次に、サーバ１０（例えばユーザ情報登録部１０１）は、所定のイベントへの参加申請処理を実行する（Ｓ２０７）。例えば、無線端末２０は、ユーザの操作により、所定のイベントへの参加申請をサーバ１０に送信する。サーバ１０は、参加申請を受信すると、無線端末２０のユーザの識別情報を、イベントの参加者として記憶する。
【００２９】
なお、上述のステップＳ２０１乃至Ｓ２０７の実行順序は上述の例に限らず適宜の順序、適宜のタイミングで実行されてもよい。また、ステップＳ２０１乃至Ｓ２０７無線端末２０からの要求応じて実行されてもよいし、一部が省略されてもよい。
【００３０】
図１０は、全ユーザ対象の共通処理（Ｓ１０３）の詳細フローチャートである。
以降、イベントの例として、Ａ大学のキャンパス全体を使用した１０００人規模の国際交流パーティを開催した場合を想定して説明する。イベントの会場は大学内に複数存在するが、メインステージとなる大きな会場が存在する。参加者は事前に前述のプロフィール登録等を終えた状態でイベント参加登録を行ったものとし、各ユーザが無線端末２０を有するものとする。なお、イベントの例は上述の例に限らず、適宜のイベントでもよい。  
【００３１】
まず、サーバ１０は、イベント参加ユーザ全体の共通項ランキングを表示装置（図示せず）に表示する（Ｓ３０１）。例えば、メイン会場には表示装置として巨大スクリーンがあり、サーバ１０（例えば、イベント参加者共通点抽出部１０３）は、イベントに参加登録している参加者（この例では１０００人）のプロフィールの中で共通点が多いものから順に表示する（ランキング表示）。また、サーバ１０は、これらの情報をイベントに参加登録されたユーザの無線端末２０に送信し、無線端末２０に表示することができる。
【００３２】
図１１に、ランキング表示の画面例を示す。この例の場合、一例として、出身大学がＡ大学であることが共通点として最も多く、Ａ大学の近隣出身であることが次に多く上がっている。また国際交流パーティのため、どの国から一番多くの人が来たかを表示してもよい。メインステージの人（主催者）はこれらの情報をきっかけとして、イベントの最初の司会進行することで話を盛り上げることができる。また参加者同士が話しをするきっかけともなる。
【００３３】
また、サーバ１０（例えば、イベント参加者属性抽出部１０２）は、参加者統計情報を作成し出力する（Ｓ３０３）。例えば、サーバ１０は、全イベント参加者のプロフィール情報の統計情報を作成することができる。ここで、イベントへ参加申請したユーザの名前やメールアドレス等の個人情報は開示しないようにできる。サーバ１０は、イベントの主催者へ統計情報を提供するため、作成された統計情報を出力部１３から印刷したり、通信インタフェース１４を介してイベント主催者の端末へ送信したり、イベント主催者の端末がアクセスできる装置に記憶することができる。これにより、イベントの主催者はイベント毎に属性把握のためのアンケートをとる必要がなくなる。
【００３４】
なお、上述のステップＳ３０１及びＳ３０３の実行順序は上述の例に限らず適宜の順序、適宜のタイミングで実行されてもよい。また、ステップＳ３０１及びＳ３０３は所定の端末等の操作に応じて実行されてもよいし、いずれか又は双方が省略されてもよい。
【００３５】
図１２は、各ユーザ間の共通項表示処理（Ｓ１０５）の詳細フローチャートである。
イベント会場は、メインステージ以外にも複数の会場が存在する。各会場でのユーザの出会い方について説明する。まず、概要を述べると、ユーザＡの無線端末２０（第１の無線端末。図１２では無線端末２０Ａと記す）のタッチパネル２３に表示されるマップ画面には、自無線端末２０の位置（例えば、中心に配置されてもよい）と表示地図内にいる前述のソーシャルネットワークシステム１に登録した他のユーザの無線端末２０（第２の無線端末。図１２では無線端末２０Ｂと記す）の位置と、各ユーザの求める出会い種別が表示される。これらはサーバ１０から受信される情報に基づき表示される。無線端末２０ＡのユーザＡは、表示された他の無線端末２０のうち、出会い種別が合致する少なくともひとつのユーザＢの無線端末２０に対して、自身の無線端末２０ＡとそのユーザＢの無線端末２０とを関連づける関連づけ操作（話しかけリスエスト）をする。ユーザＢの無線端末２０には、サーバ１０を介して通知される。このように話しかけることを打診されたユーザＢは、お互いの共通話題情報（後述）を表示することに同意した場合に同意操作を行い、同意信号がサーバ１０に送信される。同意信号を受信したサーバ１０は、ユーザＡとユーザＢのプロフィール情報の共通項を抽出し、抽出された共通項をユーザＡとユーザＢの無線端末に表示させる。
【００３６】
以下、図１２を参照して詳細に説明する。まず、サーバ１０（例えば、ユーザマップ作成部１０４）は、各無線端末２０の位置情報と、各無線端末のユーザの出会いの種別とを含むマップ情報を作成して各無線端末２０に送信する（Ｓ４０１）。各無線端末２０は、各無線端末２０の位置と出会いの種別を、表示部（タッチパネル）にマップ表示する（Ｓ４０３）。出会いの種別は、例えば予め対応する色が定められ、各無線端末２０の位置に色で表示してもよい。図１３の左側に、マップ表示の画面例を示す。なお、サーバ１０は、無線端末２０に対して、無線端末２０の位置の近傍（例えば、所定の表示地図の範囲内）にいる無線端末２０についての情報のみを送信するようにしてもよい。
【００３７】
無線端末２０のユーザは、マップ表示を参照して、話しかける（又は既に話を開始している）ユーザの無線端末を特定し、後述する関連づけ操作を行う。例えば、無線端末２０のうちのひとつ（この例では無線端末２０Ａ）は、マップ表示された無線端末２０Ａと、複数の無線端末２０のうちの少なくともひとつの無線端末（この例では無線端末２０Ｂ）とを関連づける関連づけ操作がなされたことを操作部（タッチパネル）２３により検知する（Ｓ４０５）。
【００３８】
ここで、関連づけ操作は、例えば、表示部２３にマップ表示された無線端末２０Ａの位置から無線端末２０Ｂの位置へ向かうスワイプ動作である。このとき、無線端末２０Ａは、上述のスワイプ動作に応じて、表示部２３にマップ表示された無線端末２０Ａの位置から、無線端末２０Ｂの位置へ矢印を表示してもよい。図１３の中央にこの状態の画面例を示す。なお、スワイプ動作及び矢印の向きは逆向きでもよい。また、関連づけ操作は、表示部２３にマップ表示された無線端末２０Ａの位置と無線端末２０Ｂの位置とを始点とするピンチ動作でもよい。その他、自身の無線端末２０Ａと他の無線端末２０を関連づける適宜の操作でもよい。
【００３９】
関連づけ操作を検知した無線端末２０Ａは、無線端末２０Ｂに対する話しかけリクエストをサーバ１０に送信する（Ｓ４０７）。サーバ１０（例えば、リクエスト処理部１０９）は、無線端末２０Ａから受信した話しかけリクエストを無線端末２０Ｂに転送する（Ｓ４０９）。無線端末２０Ｂは、話しかけリクエストを受信すると、無線端末２０Ａから話しかけリクエストがあった旨を表示部（タッチパネル）２３に表示する（Ｓ４１１）。一例として、図１３の中央に示すような、無線端末２０Ａから無線端末２０Ｂへの矢印を無線端末２０Ｂの表示部２３に表示してもよい。
【００４０】
無線端末２０Ｂのユーザは、表示された話しかけリクエストに対する同意操作又は拒否操作を行う。同意操作は、例えば、無線端末２０Ｂの表示部２３にマップ表示された無線端末２０Ｂの位置から無線端末２０Ａの位置へ向かうスワイプ動作でもよく、無線端末２０Ｂの操作部（タッチパネル）２３がこの動作を検知する（Ｓ４１３）。このとき、無線端末２０Ｂは、上述のスワイプ動作に応じて、表示部２３にマップ表示された無線端末２０Ｂの位置から、無線端末２０Ａの位置へ矢印を表示してもよい。図１３の右側にこの状態の画面例を示す。また、例えば、表示部２３に同意ボタンと拒否ボタンが表示され、いずれかがタップされることを操作部２３により検知して同意操作又は拒否操作を検知してもよい。なお、同意操作及び拒否操作は上述の例に限らず、予め定められた適宜の操作でもよい。
【００４１】
上述の例では、無線端末２０Ａと無線端末２０Ｂの２者間について説明したが、上述の処理を所定時間内に無線端末２０Ａと各無線端末２０で行うことで、複数のユーザ間の共通項が抽出されるようにしてもよい。
図１４に、関連づけ操作と同意操作の他の例を示す。無線端末２０は、マップ表示上に仮想空間７０を設定することができる。なお、そのスペースは地図内ならば、どこでも構わない。例えば、ユーザの操作によりマップ表示上の領域の一部に所定の動作（一例としてダブルタップ動作など）が行われることで仮想空間７０を設定できる。例えば、上述の同意動作は、無線端末２０にマップ表示された自身の無線端末２０の位置をドラッグして仮想空間７０内に移動する動作でもよい。また、上述の関連づけ操作が、無線端末２０にマップ表示された他の各無線端末２０の位置をドラッグして仮想空間７０内に移動する動作でもよい。これらの動作は、操作部２３により検知される。同意操作及び関連づけ操作の一方は、上述の例のように一方の無線端末２０の位置から他方の無線端末２０の位置へ向かうスワイプ動作でもよい。図１４は、関連づけ操作は上述の例のようにスワイプ動作で行い（図１４の中央）、同意操作に仮想空間７０を用いた（図１４の右側）例を示す。このような仮想空間７０を用いた操作は３人以上のユーザをひとつのグループとして関連づける場合に効果的であるが、２人のユーザを関連づける場合にも利用できる。
【００４２】
図１２に戻り、処理の説明を続ける。無線端末２０Ｂは、拒否操作を検知するとサーバ１０に拒否信号を送信し、サーバ１０（例えば、リクエスト処理部１０９）から無線端末２０Ａへ拒否信号を転送して処理を終了する（図示せず）。
【００４３】
一方、無線端末２０Ｂは、操作部２３での同意操作を検知すると（Ｓ４１３）、サーバ１０へ同意信号を送信する（Ｓ４１５）。同意信号を受信したサーバ１０（例えば、イベント参加者共通点抽出部１０３）は、無線端末２０Ａのユーザのプロフィール情報と、無線端末２０Ｂのユーザのプロフィール情報との共通項を抽出する（Ｓ４１７）。サーバ１０は、抽出された共通項を記録部１０７に記録してもよい。サーバ１０は、抽出された共通項を無線端末２０Ａ及び無線端末２０Ｂに送信する（Ｓ４１９）。なお、サーバ１０は、無線端末２０Ａと無線端末２０Ｂが会話中である旨記憶しておくことができる。
【００４４】
無線端末２０Ａ及び無線端末２０Ｂは、サーバ１０から受信した共通項を表示部２３に表示する（Ｓ４２１）。図１５に共通項の表示画面例を示す。関連づけられた各ユーザの無線端末２０には、今まで行ったことのある国など、個人間の共通点と、日本庭園に詳しい人など求める項目が合致した場合に、それらの情報が表示される。共通点や求める項目が合致しなければ何も表示されない。ただし、推測するボタンを押せば、推測する共通点を表示することができる。共通する点を推測する仕組みは後述する他のユーザが登録したタグ付けにより行われる。ユーザ同士は示された共通点などの項目を基に会話をすることができる。これにより、「どこの国に行ったことがあるのか」というような空振りの質問はなされなくなる。また、ユーザは会話の中で開示レベルを変更することによって共通点ではない個人情報を開示することができる。２人を超えるユーザが仮想空間７０に入室した場合も同じように動作する。特に２人を超えるユーザにおいては、企業研修におけるアイスブレイク、討論話題設定にも使用することができる。
【００４５】
このように、表示された共通項をきっかけとして、無線端末２０Ａ及び無線端末２０Ｂの各ユーザの会話を促進することができる。なお、サーバ１０は、無線端末２０Ｂから同意信号を受信すると、無線端末２０Ａと無線端末２０Ｂを、他の無線端末２０のマップ表示に表示されなくなるようにしてもよい。
【００４６】
その後ユーザ間での会話が終了すると、無線端末２０Ａ及び無線端末２０Ｂのいずれかのユーザは、会話終了操作を行う。会話終了操作は、終了ボタンをタップする、マップ表示上に設定された仮想空間７０内の自無線端末の表示をドラッグして仮想空間７０外で移動させる等、操作部２３に対する予め定められた操作でよい。これらの操作は、操作される無線端末２０Ａ又は無線端末２０Ｂの操作部２３で検知され（Ｓ４２３）、無線端末２０Ａ又は無線端末２０Ｂは会話終了信号をサーバ１０へ送信する（Ｓ４２５）。
【００４７】
図１６は、会話終了後処理の詳細フローチャートである。
サーバ１０は、無線端末２０Ａ又は無線端末２０Ｂから会話終了信号を受信すると、無線端末２０Ａと無線端末２０Ｂのユーザステータス（例えば、関係性を示す情報）を変更する（Ｓ５０１）。なお、会話終了信号は、少なくとも無線端末２０Ａと無線端末２０Ｂの一方から受信できればよく、無線端末２０Ａと無線端末２０Ｂの組み合わせは上述のように同意信号を受信した後の適宜のタイミングで記憶しておくことができる。
【００４８】
例えば、無線端末２０Ａと無線端末２０Ｂのユーザのように、仮想空間７０に入り話をした経験のあるユーザは「出会ったことのある人間」とし、これ以外にも、話しかけリクエストを受けた他のユーザについては「すれちがったことのある人間」、何もコミュニケーションはとらなかったが同じイベントに参加した他のユーザは、「同じイベントに参加したことがある人間」等のユーザステータスに変更してもよい。このうち、会話をした経験のあるユーザ（例えば仮想空間７０に一緒に入ったユーザ）の無線端末２０同士、すなわち上述の「出会ったことのある人間」の無線端末２０同士については、イベント後においても本システムを介してメッセージを送受信可能にする。なお、ソーシャルカードゲームを行っている場合においては、サーバ１０が抽出した共通点の多さや、その中から選択した惹かれる項目の多さなどに基づき、カードを入手できるようにしてもよい。さらにイベントへの参加することや特定の場所にＧＰＳ技術による到達履歴を残すことでカードを新規取得できるようにしてもよい。こうしたリアルな人との出会いや行動履歴に基づきカードを新規取得できることはソーシャルネットワークシステムに通じた人との出会いや記録情報の提供を加速させる仕組みである。
【００４９】
また、無線端末２０の各ユーザの操作により、サーバ１０は、会話の中で共通して盛り上がった話（テーマ）等の会話情報を記録部１０７に登録することができる（Ｓ５０３）。音声自動登録を行っている場合は、無線端末２０のマイク等から入力された音声が無線端末２０又はサーバ１０で認識され、サーバ１０に自動登録される。また、今後の他のユーザとの共通点推測を助けるために、会話の結果に基づく項目単語について、タグを作成することができる。例えば、尊敬する歴史上の人物として、ユーザＡはナポレオンを挙げ、ユーザＢは織田信長を挙げており、共通点としては合致しないが、発言したユーザ自身や他のユーザが無線端末２０を操作して、「時代を超える革新性をもった人物」「唯我独尊」「英雄」などのタグ付けを行うことで、尊敬する人物が属性として近い形での推測がなされ、「尊敬している歴史上の人物が似ているかもしれません。」と画面に表示がなされることになる。
【００５０】
上述のように、会話した経験のあるユーザ（例えば、仮想空間７０に一緒に入ったユーザ）の無線端末２０、すなわち「出会ったことのある人間」の無線端末２０については、イベント後においてもメッセージ送受信が可能である。また、サーバ１０は、「出会ったことのある人間」の行動は、ユーザが同意する限りにおいて、ニュースフィードに掲示する。特に互いの共通点を増やす、深化するような動作を「出会ったことのある人間」が行った場合、サーバ１０は、優先してニュースフィードに掲示する。また、会話したユーザの共通点が増えた場合は例えば「ユーザＢも○○に行きました」というように、他方のユーザの無線端末２０に通知する。さらに、無線端末２０が「出会ったことのある人間」の画面を見るときには、共通点を増やすため、「この人はこんなものに興味があります。」という企業広告を出してもよい。このように、本実施の形態のソーシャルネットワークシステムは、一度出会った以降にも関係性を深化させる仕組みをもったシステムである。
【００５１】
本実施の形態によると、ユーザ同士の共通点となる話題を提供することで、他の個人情報の漏えいを防ぎつつ、ユーザ同士の交流及び関係性を深化することに記録情報を役立てるシステムを提供することができる。また、ユーザ側に情報を記録するメリットを還元し、さらに初対面の人同士の交流及び関係性を深化することに記録情報が役立てるようなシステムを構築することができる。また、ソーシャルネットワークサービスの本来の目的である人間同士の交流に、記録情報を使用するシステムを提供できる。
【００５２】
以上、国際交流イベントを例に挙げて本実施の形態を説明したが、イベントでなくても偶然道端でソーシャルネットワークシステムのユーザ同士が会うこともあり、そういった場合にも適用できる。動作は上述と同様である。また、本実施の形態では初めてあった人々同士の出会いを例として挙げたが、長年、親しい友人の間に存在する、知らなかった共通点を提示する仕組みにも適用できる。図１７のように出会ったことのある人のみを地図上に表示する仕組みによって待ち合わせに使用することができる。例えば、上述のようなマップ表示において待ち合わせボタンをさらに表示し（図１７の左側の図）、ユーザの操作により待ち合わせボタンが押されることで、サーバは無線端末に既に出会ったことのあるユーザーのみ表示させることができる（図１７の右側の図）。さらに、本実施の形態ではソーシャルネットワークシステムとして挙げたが、既存のソーシャルネットワークシステム（ソーシャルネットワークサービスを提供するシステム）のサブアプリであってもよい。この場合、上述のプロフィール設定や、自動個人記憶収集で登録される登録情報が、既存のソーシャルネットワークシステムから登録情報として開示されるだけであり、他の動作は同様である。
【００５３】
なお、本実施の形態のソーシャルネットワークシステム１は、個人情報漏えいを防ぐため及び現実に出会って同意を示したことを信頼性の担保とするシステムのため、既存のソーシャルネットワークシステムにあるような、名前検索およびコミュニティ検索などはユーザ側が使用できない仕組みとすることができる。
【産業上の利用可能性】
【００５４】
本発明は、無線端末を用いたソーシャルネットワークシステムに利用可能である。
【符号の説明】
【００５５】
１    ソーシャルネットワークシステム
１０  サーバ
１１  処理部（ＣＰＵ）
１２  記憶部
１３  出力部
１４  通信インタフェース
２０  無線端末
２１  処理部（ＣＰＵ）
２２  記憶部
２３  タッチパネル（表示部、操作部）
２４  無線通信部
３０  基地局
１０１  ユーザ情報登録部
１０２  イベント参加者属性抽出部
１０３  イベント参加者共通点抽出部
１０４  ユーザマップ情報作成部
１０５  共通仮想空間設定部
１０６  ユーザ間共通点抽出部
１０７  記録部
１０８  連絡部
１０９  リクエスト処理部
【図１】
2016046865.tif 000003
【図２】
2016046865.tif 000004
【図３】
2016046865.tif 000005
【図４】
2016046865.tif 000006
【図５】
2016046865.tif 000007
【図６】
2016046865.tif 000008
【図７】
2016046865.tif 000009
【図８】
2016046865.tif 000010
【図９】
2016046865.tif 000011
【図１０】
2016046865.tif 000012
【図１１】
2016046865.tif 000013
【図１２】
2016046865.tif 000014
【図１３】
2016046865.tif 000015
【図１４】
2016046865.tif 000016
【図１５】
2016046865.tif 000017
【図１６】
2016046865.tif 000018
【図１７】
2016046865.tif 000019
【国際調査報告】
2016046865.tif 000020
2016046865.tif 000021
2016046865.tif 000022
2016046865.tif 000023